(57)【要約】【課題】ＤＶＤ規格に比較してより高精細な動画を長時間に亘って記録可能なＣＳＳ保護規格対応の情報記録媒体及び情報記録方法ならびに情報再生方法を提供する。【解決手段】この発明は、４０５ｎｍの波長の記録光で記録される有機記録材料と６５０ｎｍの波長の再生光により光反射量が変化する有機記録材料を記録層１０３と光反射層１０２に用いた記録膜を有する光ディスクであって、記録層と光反射層との間の界面には、凹凸形状を有するプリグルーブ１０７と隣接するプリグルーブ間に挟まれたランド１０９が設けられていることを特徴とする記録媒体及び情報記録方法ならびに情報再生方法である。【選択図】  図４
2009026407.tif 000002
【特許請求の範囲】
【請求項１】
記録層と光反射層から構成される記録膜を具備し、
前記記録層と前記光反射層との間の界面には凹凸形状を有するプリグルーブと隣接する前記プリグルーブ間に挟まれたランドが存在し、
前記記録膜は６５０±５ｎｍの光で再生可能な光反射率を有し、
前記記録層は前記６５０±５ｎｍよりも短波長の光に対して記録感度を有すると共に前記６５０±５ｎｍよりも短波長の光によりプリグルーブ上に記録マークの形成が可能であり、
反射率が４５％以上であり、記録後プッシュプル信号が０．１７以下である
ことを特徴とする情報記憶媒体。
【請求項２】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
反射率が４５％以上であり、信号変調度が０．４５以上であり、記録後プッシュプル信号が０．１７以下である
ことを特徴とする情報記憶媒体。
【請求項３】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
グルーブ幅が１７０ｎｍ以上４７０ｎｍ以下であり、グルーブ深さが２０ｎｍ以上３６ｎｍ以下である
ことを特徴とする情報記憶媒体。
【請求項４】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
短波長の光で記録再生した際の信号極性はＬ−Ｈであり、６５０±５ｎｍの光で再生した際の信号極性はＬ−Ｈである
ことを特徴とする情報記憶媒体。
【請求項５】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
短波長の光で記録再生した際の信号極性はＬ−Ｈであり、６５０±５ｎｍの光で再生した際の信号極性はＨ−Ｌである
ことを特徴とする情報記憶媒体。
【請求項６】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
吸収スペクトル中の少なくとも二つの極大吸収波長は３８０〜４８０ｎｍと６８０〜７５０ｎｍである
ことを特徴とする情報記憶媒体。
【請求項７】
基板と記録層と光反射層から構成される光ディスクであって、
前記基板には凹凸形状を有するプリグルーブと隣接する前記プリグルーブ間に挟まれたランドが存在し、
６５０±５ｎｍの光で再生可能な光反射率を有し、
前記６５０±５ｎｍ及びそれよりも短波長の光に対して記録感度を有すると共に前記６５０±５ｎｍ及びそれよりも短波長の光により記録マークの形成が可能であり、
吸収スペクトル中の少なくとも二つの極大吸収波長は３８０〜４８０ｎｍと５５０〜６１０ｎｍである
ことを特徴とする情報記憶媒体。
【発明の詳細な説明】
【技術分野】
【０００１】
この発明は、ＤＶＤ規格に比較してより高精細な動画を長時間に亘って記録可能なＣＳＳ保護規格対応の情報記録媒体及び情報記録方法ならびに情報再生方法に関する。
【背景技術】
【０００２】
レーザ光を用いて情報の記録と再生が可能な情報記録媒体すなわち光ディスクが実用化されて久しい。例えば、直径が１２ｃｍのＤＶＤ規格の光ディスクには、標準的な画質の映像が、数時間記録可能である。また、再生専用の光ディスクにおいては、映像ソフトやコンテンツが、プレス加工あるいは成型加工により短時間で収録可能である。なお、情報の書き込み（追記）あるいは消去（書き換え）が可能なタイプの光ディスクには、ランドプリピットとグルーブトラック（プリグルーブ）が形成されている。
【０００３】
現在市販されている記録型の光ディスクであるＤＶＤ−ＲディスクまたはＤＶＤ−ＲＷディスクは、ランドプリピットによりアドレス情報が予め記録されており、ウォブルされたプリグルーブ上に、記録マークが形成されている。
【０００４】
ランドプリピットやプリグルーブからの再生信号は、アドレス情報の再生やトラッキングサーボ信号として利用される。安定したトラッキングやアドレス情報の正確な再生のために、これらの再生信号は大きな信号となるように、ランドプリピットやプルグルーブの形状は最適化されている。
【０００５】
また、今日、ＣＳＳ（Ｃｏｎｔｅｎｔ  Ｓｃｒａｍｂｌｉｎｇ  Ｓｙｓｔｅｍ）と呼ばれる保護方式を用いるＤＶＤ規格の光ディスクが実用化されている。
【０００６】
なお、ＣＳＳとの関連性は論ぜられていないが、記録と再生に、異なる波長のレーザ光を用いる例が、紹介されている（特許文献１）。
【特許文献１】特開２００２−８３４２３
【発明の開示】
【発明が解決しようとする課題】
【０００７】
特許文献１に有機色素を含む記録膜と反射膜を有する光記憶媒体に、基板側から記録用レーザ光を照射することにより情報を書き込み、記録後に有機色素を退色させて、記録用レーザ光とは異なる波長の再生用レーザ光により情報を再生することが示されている。
【０００８】
しかしながら、文献１では、記録用のレーザ光として７７０ｎｍまたは６５０ｎｍ付近の波長のレーザ光を用い、再生用レーザ光として、より波長の短いレーザ光を用いる、と記載されており、記録密度は、ＤＶＤ規格を超えることはない。
【０００９】
従って、文献１の光記憶媒体では、今日広く普及しているＨＤ  ＤＶＤ規格やＢｌｕ−ｒａｙ規格の光ディスクのように、高精細な動画を長時間に亘って記録することは困難である。
【００１０】
この発明の目的は、ＤＶＤ規格に比較してより高精細な動画を長時間に亘って記録可能なＣＳＳ保護規格対応の記録媒体及び情報記録方法ならびに情報再生方法を提供することである。
【課題を解決するための手段】
【００１１】
この発明は、上記問題点に基づきなされたもので、記録層と光反射層から構成される記録膜を具備し、前記記録層と前記光反射層との間の界面には凹凸形状を有するプリグルーブと隣接する前記プリグルーブ間に挟まれたランドが存在し、前記記録膜は６５０±５ｎｍの光で再生可能な光反射率を有し、前記記録層は前記６５０±５ｎｍよりも短波長の光に対して記録感度を有すると共に前記６５０±５ｎｍよりも短波長の光によりプリグルーブ上に記録マークの形成が可能であり、反射率が４５％以上であり、記録後プッシュプル信号が０．１７以下であることを特徴とする情報記憶媒体である。
【発明の効果】
【００１２】
この発明の１つの実施の形態を用いることで、情報記録媒体においては、記録マークを形成するための記録光及び記録マークを再生するための再生光を波長の異なる光とすることでき、記録処理及び再生処理が安定に処理できる。
【００１３】
また、この発明の情報記録媒体は、記録光に対してトラックずれ検出信号とランドプリピット検出信号が得られると同時に、再生光に対してはプリグルーブやプリピットからの影響が生じにくいプリグルーブ形状及び寸法、並びにランドプリピット形状及び寸法を有することから、記録処理と再生処理が一層安定化される。
【００１４】
さらに、任意台数のＤＶＤドライブにおいて、実質的にほぼ互換機といえる程度の再生可能率が確保でき、安定な再生が期待できる。
【発明を実施するための最良の形態】
【００１５】
以下、図面を参照して、本発明の実施の形態について説明する。
【００１６】
＜＜光ディスク構造＞＞    
本提案における情報記録媒体内の微細構造を、図１と図２に示す。図１は、情報記録媒体の断面図、図２は情報記録媒体のグルーブ配置を上部から見た図である。図１では、図２に示したランドプリピット１０８の記載を省略している。
【００１７】
本提案における追記形情報記録媒体内の記録層１０３の材料として有機色素系材料を使用し、前記記録層１０３に隣接してＡｇまたはＡｇ合金などの無機物から成る光反射層１０２が形成されている。
【００１８】
記録層１０３と光反射層１０２との界面では、プリグルーブ１０７やランドプリピット１０８部に段差Ｈｒの凹凸形状になっている。光反射層１０２の反対側の界面にも凹凸形状が存在するが、図１では光反射層１０２の厚みが充分厚いので光反射層１０２の中央で切断した図面を示し、反対側の界面での凹凸形状の記載を省いた。
【００１９】
今後の説明では、本提案における追記形情報記録媒体内の記録層１０３として有機色素系材料を使用する実施例について説明するが、本発明はそれに限らず記録層１０３の材料として無機物を使用しても良い。記録層１０３の材料として無機物を使用する実施例としてカルコゲナイド系などの相変化形（相変化を利用して記録マーク１０５を形成する）記録材料を使用することもできるし、Ｔｅ−Ｃ等の直接穴を開けて記録マーク１０５を形成するタイプ、あるいは異なる種類の無機層を複数層積層し、熱による拡散により記録マーク１０５内で混合物または化合物を形成させるものであっても良い。
【００２０】
本発明の実施例の一つである記録媒体は、情報の記録のために第一の波長である６５０ｎｍより短い波長の光を用い、記録した情報の再生には第二の波長である６５０ｎｍの波長の光を用いる。従って、記録層の材料としては、６５０ｎｍより短い波長の光で記録が可能なように、６５０ｎｍより短い波長の光の吸収率が高いものが望ましい。かつ、６５０ｎｍでの記録データの再生が可能なように、記録の前後で６５０ｎｍ付近の波長に対する、屈折率もしくは反射率の変化が大きいものが望ましい。
【００２１】
情報記録媒体の基板１０１には、同心円状、またはスパイラル状にプリグルーブ１０７が形成されており、プリグルーブ１０７は、図２に示すように半径方向に蛇行している。この蛇行した形状をウォブルと呼ぶ。また、ランドの一部に、プルグルーブがはみ出したような形状が形成されており、これをランドプリピット１０８と呼ぶ。
【００２２】
図１に示した断面構造を有した本提案における情報記録媒体の場合には、Ｐｕｓｈ−Ｐｕｌｌ法を用いたトラックずれ検出信号やランドプリピット１０８からの検出信号は、段差Ｈｒを有する記録層１０３と光反射層１０２との間の界面で反射した光の回折・干渉により得られる。
【００２３】
次に本発明の情報記録媒体の構造の特徴について説明する。
【００２４】
本発明の実施例では、記録／再生装置として記録光と再生光とで使用波長を変えるとともに、波長の異なった記録光と再生光に対して良好な記録特性と再生特性を保証する情報記録媒体を提供するところに大きな特徴が有る。また更に、記録光に対してトラックずれ検出信号とランドプリピット検出信号が得られると同時に再生光に対してはプリグルーブやプリピットからの影響がほとんど出ないようなプリグルーブ形状と寸法、およびランドプリピット形状と寸法に設定するところに次なる特徴が有る。現行のＤＶＤ−ＲディスクやＤＶＤ−ＲＷディスクでは、再生光の波長として６５０±５ｎｍを前提としている。
【００２５】
本提案における情報記録媒体では、前述したＤＶＤ−ＲディスクやＤＶＤ−ＲＷディスクとの間の再生互換性を確保するため、波長が６５０±５ｎｍの光で再生可能とする。
【００２６】
記録光に対してトラックずれ検出信号とランドプリピット検出信号が得られると同時に再生光（６５０±５ｎｍの光）に対してはプリグルーブやプリピットからの影響がほとんど出ないようなプリグルーブ寸法及びランドプリピット寸法と記録光の波長との関係について、図３を用いて説明する。
【００２７】
前述したように、Ｐｕｓｈ−Ｐｕｌｌ法を用いたトラックずれ検出信号やランドプリピット１０８からの検出信号は、記録層１０３と光反射層１０２との間の界面（図２参照）で反射した光の回折・干渉により得られる。段差がＨｒであるプリグルーブ１０７またはランドプリピット１０８とランド１０９の両方に、それぞれ波長の異なる入射光１１４が照射された場合を説明する。
【００２８】
図３（ａ）は、波長が６５０ｎｍの再生光が照射された場合を表し、プリグルーブ１０７またはランドプリピット１０８とランド１０９に対して垂直に反射される反射光１１５が段差Ｈｒにより受ける位相差をε６５０で表す。
【００２９】
図３（ｂ）は、再生光とは異なる波長λｗの記録光が照射された場合を示している。記録光による反射光１１５が段差Ｈｒにより受ける位相差をελｗとする。
【００３０】
図３（ｃ）に示すように、段差量Ｈｒが等しい場合には、λｗ  ＜  ６５０ｎｍ  の時には、  ε６５０  ＜ελｗ  の関係が成り立つ。
【００３１】
ε６５０  ＜  π  であり、ελｗ  ＜  π  の場合には、位相差εが大きい方が反射光１１５間の干渉量が大きく、大きなトラックずれ検出信号とランドプリピット検出信号が得られる。また、位相差εが小さい方が反射光１１５間の干渉が小さく、プリグルーブやプリピットからの悪影響が出にくい。そのため、本提案では再生光の波長（６５０±５ｎｍ）に対して記録光の波長λｗを短くし（λｗ  ＜  ６５０ｎｍ）、記録光に対してトラックずれ検出信号とランドプリピット検出信号が得られると同時に再生光に対してはプリグルーブやプリピットからの影響がほとんど出ないようにしたところに大きな特徴が有る。
【００３２】
記録光に使用される波長λｗの値は、６５０ｎｍより短ければ任意の値を取ることが可能である。しかし、ＨＤ  ＤＶＤやＢＤ（Ｂｌｕ  Ｒａｙ）で、発光波長が４０５ｎｍの半導体レーザ光源が使用されているので、同様に４０５ｎｍの光源を使用することで、記録用光学ヘッドを安価に作成できる。
【００３３】
ここで、第二の波長である６５０±５ｎｍを有する再生光に対する記録層１０３内での屈折率をｎ６５０とすると、ランドプリピットの深さ（段差）と等しいプリグルーブの深さ（段差）Ｈｒが「６５０／（８・ｎ６５０）ｎｍ」の時が、最もランドプリピット検出信号とトラックずれ検出信号が大きく検出される。従って、再生時にその影響を受けない条件としては、本提案ではプリグルーブの深さ（段差）およびランドプリピットの深さ（段差）Ｈｒがその半分の「６５０／（１６・ｎ６５０）ｎｍ」以下に設定する。また、より影響を受けない条件では、更にその半分の「６５０／（３２・ｎ６５０）ｎｍ」以下に設定することが望ましい。
【００３４】
ここで、第一の波長である記録光の波長を４０５ｎｍとすれば、記録中のプリグルーブの深さ（段差）およびランドプリピットの深さ（段差）Ｈｒは、４０５ｎｍに対して「４０５／（１０・ｎ４０５）ｎｍ（＝６５０／４０５×４０５／（１６・ｎ６５０）ｎｍ）」となり、記録時にはプリグルーブ及びランドプリピットからの信号を再生することができる。
【００３５】
次に、図１〜図３に示した本提案の光ディスクにおいて記録層１０３で使用される有機色素記録材料の一例の光吸収スペクトルを図４に示す。なお、図４において、曲線Ａは、記録前の有機色素材料の吸収（吸光度）を、曲線Ｂ（点線）は、記録後の有機色素材料の吸収（吸光度）を、それぞれ示している。なお、図４から明らかなように、本提案で用いる光ディスクの記録層においては、４０５ｎｍの波長の記録光で記録される有機記録材料（以下青色系色素と称する）と６５０ｎｍの波長の再生光により光反射量が変化する有機記録材料（以下赤色系色素と称する）を混合した（組み合わせた）ことに大きな特徴がある。
【００３６】
図４に示したように、本提案で用いる記録材料は４０５ｎｍの波長光に対して記録前に比べて記録後の吸光度が低下する（反射光量が増大する）。
【００３７】
すなわち、４０５ｎｍの光は、図１において透明基板１０１側から入射し、記録層１０３を経て光反射層１０２で反射後に、再度記録層１０３を経て戻ってくる。
【００３８】
この光路途中で記録マーク１０５内での光吸収が低下するため、戻ってくる反射光量が他の部分より増加する（反射光量がＬ：ＬｏｗからＨ：Ｈｉｇｈになる）。
【００３９】
この時、記録マーク１０５の中では穴が開くのでは無く、分子配列変化または微小な分子構造変化により分子内の電子軌道変化が生じて光学特性が変化している。
【００４０】
本提案における具体的な有機記録材料は、中心金属としてＣｏ（コバルト）を用いたアゾＣｏ錯体アニオン（アゾ金属錯体の一種）に、高感度化を目指して金属錯体になっていないアゾ色素を１０％添加した材料にヘミシアニンカチオンを組み合わせた。
【００４１】
本提案ではそれに限らず、アゾＣｏ錯体アニオンに対してアゾ色素を１０％添加した材料に、モノメチンシアニンカチオンを組み合わせた材料でも良い。
【００４２】
さらに他の応用例としては、アゾＣｏ錯体アニオンに対してアゾ色素を１０％添加した材料にスチリルカチオンを組み合わせても良く、他には中心金属として銅Ｃｕを使用したアゾＣｕ錯体単体または中心金属としてニッケルＮｉを使用したアゾＮｉ錯体単体を使用しても良い。
【００４３】
図５（ａ）〜（ｃ）に、青色系色素すなわち４０５ｎｍの波長の記録光で記録される有機記録材料（カチオン色素部とカチオンアニオン金属錯体部）の構造式の一例を示す。なお、色素部としては、例えばヘミシアニン、アゾ基付加ヘミシアニンが利用可能である。
【００４４】
また、赤色系色素すなわち６５０ｎｍの波長の記録光で記録される有機記録材料の構造式の一例を、図６（ａ）〜（ｃ）、図７（ａ）〜（ｃ）および図８（ａ）〜（ｃ）に、それぞれ、示す。なお、図５（ａ）、図６（ａ）、図７（ａ）および図８（ａ）では、それぞれ、色素部の構成が異なるのみで、組み合わせて用いられるアニオン錯体（金属錯体）部は、共通である。また、図５（ｂ）、図６（ｂ）、図７（ｂ）および図８（ｂ）、あるいは図５（ｃ）、図６（ｃ）、図７（ｃ）および図８（ｃ）のそれぞれにおいても、色素部の構成が異なるのみで、組み合わせて用いられる金属錯体（カチオンアニオン）部は、図示するように、炭素数を変化させた以外は共通である。なお、色素部としては、それぞれ、例えばペンタメチンシアニン（図６）、Ｓ−フェニル基付加ペンタメチンヘミシアニン（図７）、あるいはペンタメチンヘミシアニン、アゾ基付加ペンタメチンヘミシアニン（図８）が利用可能である。
【００４５】
図５（ａ）、図６（ａ）、図７（ａ）および図８（ａ）に示す、金属錯体（カチオンアニオン）部としては、例えば、カチオンと有機金属錯体アニオンで構成される有機金属錯体カチオンアニオンＷ（一般式における呼称）と有機金属錯体単体Ｙ（一般式における呼称）との混合色素であり、Ｂ色素（一般式における呼称）とＷ色素（一般式における呼称）とＹ色素（一般式における呼称）の混合物である。また、詳述しないが、Ｙの一例としては、Ｍとして「Ｃｏ」が、Ｒとして「Ｃｌ」が選ばれる。なお、Ｂ、Ｗ、Ｙの混合重量比は、０．７：０．３：０．１５である。
【００４６】
また、一般式で表される有機金属錯体は、通常、その１又は複数が金属（中心原子）に配位してなる金属錯体の形態で用いられる。中心原子となる金属元素の例としては、例えば、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、コバルト、ロジウム、イリジウム、ニッケル、パラジウム、白金、銅、銀、金、亜鉛、カドミウム、水銀等が挙げられる。一般式におけるＸ２は、例えば、アルキルアンモニウムイオン、ピリジニウムイオン、キノリニウムイオンなどのオニウムイオンをはじめとする適宜の陽イオンを表す。
【００４７】
なお、本提案では、６５０ｎｍの波長の再生光により光反射量が変化する有機記録材料の分子レベルでの熱構造変化温度または分解温度を、４０５ｎｍの波長の記録光で記録される有機記録材料に合わせることで、記録／再生特性を安定化させている。
【００４８】
記録マーク１０５形成時に４０５ｎｍ記録光で記録される有機記録材料の温度が上昇し分子配列変化または微小な分子構造変化が起きるが、この時の温度上昇に対応して６５０ｎｍ再生光により光反射量が変化する有機記録材料内でも分子配列変化または微小な分子構造変化が生じることで６５０ｎｍ再生光に対しても記録マーク１０５内での光反射量が変化する原理を発生させる。
【００４９】
具体的には、前述した４０５ｎｍ記録光で記録される有機記録材料の分解温度が摂氏２３０〜２５０度なので、６５０ｎｍ再生光により光反射量が変化する有機記録材料もそれに合わせている。
【００５０】
上述した記録材料を使用した場合には、６５０ｎｍ波長光に対しても記録前に比べて記録後で吸光度が低下するＬ→Ｈ形記録材料になっている。
【００５１】
本提案では、４０５ｎｍの波長の記録光で記録される有機記録材料よりも６５０ｎｍの波長の再生光により光反射量が変化する有機記録材料の混合比（重量比率）を大きくすることで６５０ｎｍ再生光による記録マーク１０５からの再生信号振幅を大きく取れるようにしたことに技術的特徴がある。
【００５２】
本提案では、最低でも４０５ｎｍ記録光で記録される有機記録材料よりも、６５０ｎｍ再生光により光反射量が変化する有機記録材料の混合比（重量比率）を大きくしているが、    
［６５０ｎｍ再生光により光反射量が変化する有機記録材料の混合比］：［４０５ｎｍ記録光で記録される有機記録材料の混合比］    
の値が７：３の時が最も良好な記録／再生特性が得られている。
【００５３】
また本提案ではそれに限らず上記の値を９：１にしても良い。
【００５４】
図９は、図５ないし図８に示した赤色系色素すなわち６５０ｎｍの波長の記録光で記録される有機記録材料の構造式（一般式）を示す。
【００５５】
図９に示す一般式において、カチオン部のペンタメチンシアニン色素のＺ１，Ｚ２は、互いに同じか異なる芳香環を表わし、それらの芳香環は置換基を有していてもよい。Ｙ１１，Ｙ１２は、それぞれ独立に、炭素原子又はヘテロ原子を表わしている。Ｒ３２，Ｒ３１は、脂肪族炭化水素基を表わし、それらの脂肪族炭化水素基は置換基を有していてもよい。また、Ｒ３２，Ｒ３１，Ｒ３０，Ｒ２９，Ｒ２８，Ｒ２７は、それぞれ独立に、水素原子または、適宜の置換基を表わし、Ｙ１１，Ｙ１２がヘテロ原子である場合、Ｒ３０，Ｒ２９，Ｒ２８，Ｒ２７の一部又は全部が存在しない。
【００５６】
ペンタメチンシアニン色素としては、置換基を１または複数有することのあるペンタメチン鎖の両端に、置換基を１または複数有することのある、互いに同じか異なるイミダゾリン環、イミダゾール環、ベンゾイミダソール環、α−ナフトイミダゾール環、β−ナフトイミダゾール環、インドール環、イソインドール環、インドレニン環、イソインドレニン環、ベンゾインドレニン環、ピリジノインドレニン環、オキサゾリン環、オキサゾール環、イソオキサゾール環、ベンゾオキサゾール環、ピリジノオキサゾール環、α−ナフトオキサゾール環、β−ナフトオキサゾール環、セレナゾリン環、セレナゾール環、ベンゾセレナゾール環、α−ナフトセレナゾール環、β−ナフトセレナゾール環、チアゾリン環、チアゾール環、イソチアゾール環、ベンゾチアゾール環、α−ナフトチアゾール環、β−ナフトチアゾール環、テルラゾリン環、テルラゾール環、ベンゾテルラゾール環、α−ナフトテルラゾール環、β−ナフトテルラゾール環、更には、アクリジン環、アントラセン環、イソキノリン環、イソピロール環、イミダノキサリン環、インダンジオン環、インダゾール環、インダリン環、オキサジアゾール環、カルバゾール環、キサンテン環、キナゾリン環、キノキサリン環、キノリン環、クロマン環、シクロヘキサンジオン環、シクロペンタンジオン環、シンノリン環、チオジアゾール環、チオオキサゾリドン環、チオフェン環、チオナフテン環、チオバルビツール酸環、チオヒダントイン環、テトラゾール環、トリアジン環、ナフタレン環、ナフチリジン環、ピペラジン環、ピラジン環、ピラゾール環、ピラゾリン環、ピラゾリジン環、ピラゾロン環、ピラン環、ピリジン環、ピリダジン環、ピリミジン環、ピリリウム環、ピロリジン環、ピロリン環、ピロール環、フェナジン環、フェナントリジン環、フェナントレン環、フェナントロリン環、フタラジン環、プテリジン環、フラザン環、フラン環、プリン環、ベンゼン環、ベンゾオキサジン環、ベンゾピラン環、モルホリン環、ロダニン環等の環状核が結合してなる色素を挙げることができる。
【００５７】
ペンタメチンシアニン色素の一般式を通じて、Ｚ１，Ｚ２は、例えば、ベンゼン環、ナフタレン環、ピリジン環、キノリン環、キノキサリン環等の芳香環を表わし、それらの芳香環は置換基を１または複数有していてもよい。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、シクロプロピル基、シクロブチル基、シクロペンチル基、シクロヘキシル基等の脂環式炭化水素基、フェニル基、ビフェニリル基、ｏ−トリル基、ｍ−トリル基、ｐ−トリル基、キシリル基、メシチル基、ｏ−クメニル基、ｍ−クメニル基、ｐ−クメニル基等の芳香族炭化水素基、メトキシ基、トリフルオロメトキシ基、エトキシ基、プロポキシ基、イソプロポキシ基、ブトキシ基、ｓｅｃ−ブトキシ基、ｔｅｒｔ−ブトキシ基、ペンチルオキシ基、フェノキシ基、ベンゾイルオキシ基等のエーテル基、メトキシカルボニル基、トリフルオロメトキシカルボニル基、エトキシカルボニル基、プロポキシカルボニル基、アセトキシ基、ベンゾイルオキシ基等のエステル基、フルオロ基、クロロ基、ブロモ基、ヨード基等のハロゲン基、メチルチオ基、エチルチオ基、プロピルチオ基、ブチルチオ基、フェニルチオ基等のチオ基、メチルスルファモイル基、ジメチルスルファモイル基、エチルスルファモイル基、ジエチルスルファモイル基、プロピルスルファモイル基、ジプロピルスルファモイル基、ブチルスルファモイル基、ジブチルスルファモイル基等のスルファモイル基、第一級アミノ基、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、ピペリジノ基等のアミノ基、メチルカルバモイル基、ジメチルカルバモイル基、エチルカルバモイル基、ジエチルカルバモイル基、プロピルカルバモイル基、ジプロピルカルバモイル基等のカルバモイル基、更には、ヒドロキシ基、カルボキシ基、シアノ基、ニトロ基、スルフィノ基、スルホ基、メシル基等が挙げられる。なお、図９に示したカチオン部においては、上述の通り、Ｚ１，Ｚ２は、互いに同じものであっても異なるものであってもよい。
【００５８】
ペンタメチンシアニン色素の一般式におけるＹ１１，Ｙ１２は、炭素原子またはヘテロ原子を表わしている。ヘテロ原子としては、例えば、窒素原子、酸素原子、硫黄原子、セレン原子、テルル原子等の周期律表における第１５族及び第１６族の原子が挙げられる。なお、Ｙ１１，Ｙ１２における炭素原子は、例えば、エチレン基、ビニレン基等の２個の炭素原子を主体とする原子団であってもよい。また、ペンタメチンシアニン色素の一般式におけるＹ１１，Ｙ１２は、互いに同じものであっても異なるものであってもよい。
【００５９】
ペンタメチンシアニン色素の一般式におけるＲ３２，Ｒ３１の例としては、メチル基、エチル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテニル基、ヘキシル基、イソヘキシル基、５−メチルヘキシル基、ヘプチル基、オクチル基等が挙げられる。この脂肪族炭化水素基（Ｒ３２，Ｒ３１）は、Ｚ１，Ｚ２におけるものと同様の置換基を１または複数有していてもよい。
【００６０】
なお、ペンタメチンシアニン色素の一般式におけるＲ３２，Ｒ３１は、それぞれ、互いに同じものであっても異なるものであってもよい。
【００６１】
ペンタメチンシアニン色素の一般式におけるＲ３０，Ｒ２９，Ｒ２８，Ｒ２７は、個々の一般式においてそれぞれ独立に、水素原子または適宜の置換基を表わしている。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、メトキシ基、トリフルオロメトキシ基、エトキシ基、プロポキシ基、ブトキシ基、ｔｅｒｔ−ブトキシ基、ペンチルオキシ基、フェノキシ基、ベンゾイルオキシ基等のエーテル基、フルオロ基、クロロ基、ブロモ基、ヨード基等のハロゲン基、更には、ヒドロキシ基、カルボキシ基、シアノ基、ニトロ基等が挙げられる。なお、モノメチンシアニン色素及びスチリル色素の一般式において、Ｙ１１，Ｙ１２がヘテロ原子である場合には、Ｚ１，Ｚ２におけるＲ３０，Ｒ２９，Ｒ２８，Ｒ２７の一部または全部が存在しないこととなる。
【００６２】
Ｍ２は、ＣｏまたはＣｒまたはＦｅまたはＡｌまたはＹまたはＮｉまたはＣｕである。
【００６３】
Ｒ８，Ｒ９，Ｒ１０，Ｒ１１としては、水素基、水酸基（ＯＨ）、ハロゲン基、シアノ基、ニトロ基、アルキル基、アリル基、アミノ基、アルキルアミノ基、ジアルキルアミノ基、アリルアミノ基、ジアルキルアミノ基、ジアルキルアミノアルキル基、ヘテロアリル基、アルコキシ基、アルキルチオ基、アリルオキシ基、アリルチオ基、ＳＯ３Ｈ，ＳＯ２，ＮＲ２１，Ｒ２２，ＣＯ２，Ｒ２２，ＣＯＮＲ２１，Ｒ２２，ＮＨＣＯＲ２２のいずれかであり、ここで、Ｒ２１は、水素基、アルキル基、アリル基、アルコキシ基のいずれか、Ｒ２２は、水素基、アルキル基、アリル基、アルコキシ基のいずれかである。
【００６４】
Ｒ１２としては、窒素原子、酸素原子、硫黄原子、セレン原子及びテルル原子から選ばれるヘテロ原子を１または複数含み、互いに同じか異なる、例えばフリル基、チエニル基、ピロリル基、ピリジル基、ピペリジノ基、ピペリジル基、キノリル基、イソオキサゾリル基等の五員環〜十員環の複素環基を表わしている。この複素環基は、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基等の脂肪族炭化水素基、メトキシカルボニル基、トリフルオロメトキシカルボニル基、エトキシカルボニル基、プロポキシカルボニル基、アセトキシ基、トリフルオロアセトキシ基、ベンゾイルオキシ基等のエステル基、フェニル基、ビフェニリル基、ｏ−トリル基、ｍ−トリル基、ｐ−トリル基、ｏ−クメニル基、ｍ−クメニル基、ｐ−クメニル基、キシリル基、メシチル基、スチリル基、シンナモイル基、ナフチル基等の芳香族炭化水素基、さらには、カルボキシ基、ヒドロキシ基、シアノ基、ニトロ基等の置換基を１または複数有していてもよい。
【００６５】
Ｘは、周期律表における第１６族の元素から選ばれる互いに同じか異なるヘテロ原子を表わす。または、水酸、アミノ、カルボアミド、スルホンアミドなどである。
【００６６】
図１０は、青色系色素と赤色系色素とを組み合わせるものの、再生用レーザ光すなわち波長６５０ｎｍ付近の赤色系色素における記録マーク１０５内での光吸収の違いにより戻ってくる反射光量が他の部分より低下する（反射光量がＨ：ＨｉｇｈからＬ：Ｌｏｗになる（赤Ｈ−Ｌ））系列の色素材料を用いた光吸収スペクトルを示す。なお、図１０において、曲線Ｃは、記録前の有機色素材料の吸収（吸光度）を、曲線Ｄ（点線）は、記録後の有機色素材料の吸収（吸光度）を、それぞれ示している。
【００６７】
なお、図１０に示した波長６５０ｎｍ付近の赤色系色素における記録マーク１０５内での光吸収の違いにより戻ってくる反射光量が他の部分より低下する（赤Ｈ−Ｌ））系列に利用可能な赤色系色素としては、図１１（ａ）に示すようなアゾＣｕ錯体単体や、図１１（ｂ）に示すようなシアニンカチオンにアゾＣｏ錯体アニオンを組み合わせたものを用いることができる。
【００６８】
次に、本提案の記録媒体すなわち光ディスクを、ＣＳＳ保護規格のもとで活用する方法の一例を説明する。
【００６９】
本提案の記録媒体すなわち光ディスクは、例えば図１７に示すように映像情報のネットワーク配信に利用される。
【００７０】
特定情報の制作会社（コンテンツプロバイダ）５４からネットワークを経由して転送された暗号化された特定情報４５（映像コンテンツ１１）は、小売店（ｓｅｒｖｉｃｅ  ａｎｃｈｏｒ）５内での情報（複製）記録装置５５内で４０５ｎｍ記録光を用いて情報記憶媒体１０内に記録される。
【００７１】
このように記録された情報記憶媒体１０から、エンドユーザ６は、６５０ｎｍの再生光を用いて映像コンテンツ１１を再生する。
【００７２】
本発明では、情報記憶媒体の使用方法として下記の２方法を想定する。
【００７３】
一方の方法は、図１７に示すように暗号化された特定情報４５（映像コンテンツ１１）を小売店５に対してネットワーク配信し、小売店５内で情報記憶媒体１０に記録する方法でＭＯＤ（Ｍａｎｕｆａｃｔｕｒｉｎｇ  Ｏｎ  Ｄｅｍａｎｄ）と呼ぶ。
【００７４】
また、他方の方法は、直接エンドユーザ６にネットワーク配信し、エンドユーザ６が所有している記録装置内で４０５ｎｍ記録光を用いて情報記憶媒体１０に記録する方法で、ＥＳＴ（Ｅｌｅｃｔｒｉｃ  Ｓｅｌｌ  Ｔｈｒｏｕｇｈ）と呼ぶ。
【００７５】
本提案の情報記憶媒体におけるマクロ的な構造を図１２に示す。
【００７６】
システムリードイン領域ＳＹＬＤＩのトラックピッチと線密度はいずれもデータリードイン領域ＤＴＬＤＩよりも大きく（およそ２倍ずつ）なっている。
【００７７】
本提案においてシステムリードイン領域ＳＹＬＤＩ内とデータリードイン領域ＤＴＬＤＩ内いずれも情報記憶媒体形成後に４０５ｎｍ記録光により記録マーク１０５を形成することで情報の記録を行う。
【００７８】
システムリードイン領域ＳＹＬＤＩ内には、図１３に示すように、制御データゾーンＣＤＺが記録可能になっており、その中の物理フォーマット情報ＰＦＩ内のバイト位置が３２バイトから１２７バイトまでの領域に本発明媒体に対する識別情報２６２が記録可能になっている。
【００７９】
またさらに各規格書のタイプとバージョンの固有情報２６３と各リビジョン毎に設定できる情報内容２６４が記録可能になっており、このリビジョン毎に設定できる情報内容２６４内に４０５ｎｍ記録光を用いて情報記憶媒体１０内に記録する時の記録条件（ライトストラテジ）が記録可能になっている。
【００８０】
図１７または図１８に示すように、情報記憶媒体の製造会社９からブランク状態２０の情報記憶媒体１０が販売される。
【００８１】
本提案においてはＭＯＤとして使用される場合にはブランク状態２０の情報記憶媒体１０内には図１３に示すシステムリードインＳＹＬＤＩ内の情報（制御データゾーンＣＤＺ内の物理フォーマット情報ＰＦＩを含む）が未記録な状態で販売される。
【００８２】
この方法では情報記憶媒体の製造会社９内では情報記憶媒体１０内にシステムリードインＳＹＬＤＩ内の情報（制御データゾーンＣＤＺ内の物理フォーマット情報ＰＦＩを含む）を記録するコストが掛からないので、小売店５に対して安価にブランク状態２０の情報記憶媒体１０を売ることができる。
【００８３】
このＭＯＤの場合には４０５ｎｍ記録光を用いて記録する時の記録条件（ライトストラテジ）はランドプリピット１０８内に予め記録されている。
【００８４】
ＭＯＤの場合にはランドプリピット１０８に予め記録された情報に対する再生性能の優れた情報（複製）記録装置５５を使用しているため、ランドプリピット１０８からの情報再生安定性が確保されている。
【００８５】
それに比べてＥＳＴで使用される場合にはエンドユーザ６が所有する記録装置のランドプリピット１０８からの情報再生安定性が保証できない。
【００８６】
そのため本提案ではブランク状態２０の情報記憶媒体１０として４０５ｎｍ記録光を用いて記録する時の記録条件（ライトストラテジ）が記載された物理フォーマット情報ＰＦＩを含む制御データゾーンＣＤＺ（とそれを包括するシステムリードイン領域ＳＹＬＤＩ）の情報を記録して販売する。
【００８７】
４０５ｎｍ記録光を用いて記録された情報（記録マーク１０５）からの再生信頼性が高いので、本提案によればＥＳＴで使用する時の記録条件（ライトストラテジ）情報の獲得信頼性が大幅に向上する。
【００８８】
図１３（ｃ）に示した物理フォーマット情報ＰＦＩ内の詳細な情報内容を図１４に示す。
【００８９】
本発明の情報記憶媒体は、現行のＤＶＤプレーヤで再生できることを前提としている。
【００９０】
従って、記録装置または再生装置が安定に動作できるように物理フォーマット情報ＰＦＩ内に、現行の再生専用のＤＶＤ−ＲＯＭディスクか、現行の追記形のＤＶＤ−Ｒディスクか本発明の情報記憶媒体であるかの識別情報を持たせたことに本提案の特徴がある。
【００９１】
図１４に示す実施例では、本発明媒体に対する識別情報２６２の記録領域内でバイト位置が３４バイト目に、ページ記述子ＰＧＤを配置する。
【００９２】
このページ記述子ＰＧＤが、    
００ｈの時には、現行の再生専用のＤＶＤ−ＲＯＭディスクまたは、現行の追記形ＤＶＤ−Ｒディスクを示し、    
１０ｈの時には本発明の情報記憶媒体でＭＯＤとして使用され、    
１１ｈの時には本発明の情報記憶媒体でＥＳＴとして使用される    
ことを示す。
【００９３】
それにより記録装置または再生装置のディスク判別が高速かつ容易に行え、記録／再生処理の簡素化と安定化を保証できる。
【００９４】
図１４に示すように各リビジョン毎に固有に設定できる情報内容２６４の領域内のバイト位置５１２以降に４０５ｎｍ記録光を用いて記録する時の記録条件（ライトストラテジ）が記録可能になっている。
【００９５】
現行の追記形のＤＶＤ−Ｒディスクではここの領域内に６５０ｎｍ波長光で記録する時の記録条件（ライトストラテジ）を記録可能にすることで、情報記憶媒体の種別毎に異なる記録条件（ライトストラテジ）を同じ領域内に記録可能となり物理フォーマット情報ＰＦＩ内の領域内の有効利用をすることが可能となる。
【００９６】
また、図１４に示したデータ領域ＤＴＡの配置場所情報内の情報内容を図１５に示す。
【００９７】
本提案の情報記憶媒体も、現行のＤＶＤ−Ｒディスクと同様に“追記形情報記憶媒体内”として共通の情報を記録する。
【００９８】
物理フォーマット情報ＰＦＩ内に、現行の再生専用のＤＶＤ−ＲＯＭディスクか、現行の追記形のＤＶＤ−Ｒディスクか本発明の情報記憶媒体であるかの識別情報を持たせる方法として本発明の他の実施例では、図１５に限らず図１４のバイト位置で０バイト目に示した“規格書のタイプ情報とバージョン番号情報”を利用して（バージョン番号を現行の値と変えて）識別情報を持たせると共に、ＭＯＤ使用か、ＥＳＴ使用かの識別情報を持たせても良い。
【００９９】
さらに他の実施例として図１４のバイト位置で１７バイト目から２７バイト目に示したリビジョン番号情報やリビジョン番号テーブル、クラス状態情報あるいは拡張された（パート）バージョン情報内に特定の値を設定することで本発明の情報記憶媒体であると共にＭＯＤ使用かＥＳＴ使用かの識別情報を持たせても良い。
【０１００】
現行のＤＶＤ−Ｖｉｄｅｏディスクに記録される情報内容とその作成場所について、図１６を用いて説明する。
【０１０１】
現行のＤＶＤ−Ｖｉｄｅｏディスクでは映像情報の不正コピーを防止する機能として、ＣＳＳ方式を用いた暗号化処理がなされている。
【０１０２】
コンテンツ制作会社（スタジオ）１が作成した映像コンテンツ１１は、テープを媒体として、あるいはネットワーク転送により、ディスク複製会社（レプリケータ）４に配信される。
【０１０３】
映像コンテンツ１１に対する不正コピーを防止する場合には、この配信された映像コンテンツ１１そのものがＤＶＤビデオディスク３内に記録するのでは無く、映像コンテンツ１１をタイトル鍵１２により暗号化した暗号化された映像コンテンツ１４がＤＶＤビデオディスク３の中に記録される。
【０１０４】
この暗号化処理は、ディスク複製会社（レプリケータ）４内に存在する映像コンテンツ暗号器２２内で行われると共に、暗号化に使用されるタイトル鍵１２もディスク複製会社（レプリケータ）４内に存在するタイトル鍵生成部２１内で発行される。
【０１０５】
またディスク複製会社（レプリケータ）４は有料で（鍵代金１７を支払って）暗号鍵発行会社であるＣＳＳエンティティー２からディスク鍵情報１５と暗号化されたディスク鍵群１６の情報をもらい、この暗号化されたディスク鍵群１６の情報をＤＶＤビデオディスク３内に記録する。
【０１０６】
さらにＣＳＳエンティティー２からもらったディスク鍵１５の情報を利用してタイトル鍵１２を暗号化し、暗号化されたタイトル鍵１３も同じくＤＶＤビデオディスク３内に記録する。
【０１０７】
現行におけるＤＶＤ−Ｖｉｄｅｏディスクでは暗号化されたディスク鍵群１６をリードイン領域内（図１２におけるシステムリードイン領域ＳＹＬＤＩ内の図１３（ａ）に示した制御データーゾーンＣＤＺ内）に記録すると共に、暗号化されたタイトル鍵１３に関する情報はＤＶＤビデオディスク３の基本記録単位である物理セクター内の特定場所内に分散配置記録される。
【０１０８】
またディスク複製会社（レプリケータ）４はＤＶＤビデオディスク３を製造する毎にＤＶＤライセンス会社７に対してＤＶＤライセンス料１９を支払い、ＤＶＤビデオディスク製造許諾権１８を得ている。
【０１０９】
このように暗号化されたディスク鍵群１６と暗号化されたタイトル鍵１３、暗号化された映像コンテンツ１４が記録されているＤＶＤビデオディスク３をエンドユーザ６は購入代金３５を払って購入する。
【０１１０】
エンドユーザ６が所有している再生装置であるＤＶＤプレーヤでは図示していないが、マスタ鍵を使ってディスク鍵の暗号解読を行い、解読されたディスク鍵を利用して生成（暗号解読）されたタイトル鍵１２を利用して暗号化された映像コンテンツ１４を非暗号状態の映像コンテンツ１１に戻して再生表示する。
【０１１１】
現行のＤＶＤビデオディスク３では上記暗号化されたディスク鍵群１６と暗号化されたタイトル鍵１３、暗号化された映像コンテンツ１４が微細な凹凸形状を有するピットとして記録されているのに対し、本提案では波長λｗの記録光により形成された記録マーク１０５の形で情報記憶媒体１０内に記録されると共に映像コンテンツ１１に関係する情報である暗号化された特定情報４５（暗号化された映像コンテンツ１４）とＣＳＳ方式に関係する暗号化関連情報がネットワーク配信されることに大きな特徴がある。
【０１１２】
現行の追記形情報記憶媒体であるＤＶＤ−Ｒディスクでは不正コピー防止のための暗号化方式としてＣＰＲＭを使用するのに対して本提案に示した情報記憶媒体１０に対しては図１６に示したＣＳＳに関連した情報を記録することに情報記憶媒体としての大きな特徴がある。
【０１１３】
すなわち、波長λｗの記録光により情報が記録された後の本提案に対応した情報記憶媒体は、凹凸形状を有するピットでは無く記録マーク１０５が形成されているにも関わらず、あたかも図１６により作成したＤＶＤ−Ｖｉｄｅｏディスクであるかのように、ＤＶＤプレーヤ（再生装置）に認識させて再生を可能にする。
【０１１４】
従って波長λｗの記録光により情報が記録された後の本提案に対応した情報記憶媒体は上記ＣＳＳに関連した情報である暗号化されたディスク鍵群１６（図１３に示すシステムリードイン領域ＳＹＬＤＩ内の制御データゾーンＣＤＺ内に記録される）と暗号化されたタイトル鍵１３、暗号化された映像コンテンツ１４が記録されている。
【０１１５】
また既存のＤＶＤプレーヤ（再生装置）に対して再生専用のＤＶＤ−Ｖｉｄｅｏディスクであるかの様に認識させるため、図１３に示す制御データゾーンＣＤＺ内の物理フォーマット情報ＰＦＩ内で“再生専用媒体（ＤＶＤ−ＲＯＭディスク）”であると明示することにも本提案の特徴がある。
【０１１６】
これにより、ＤＶＤプレーヤ（再生装置）に一切の負担をかけることなく、安定に本発明実施例で示した情報記憶媒体１０内に記録された情報を再生させることが可能となる。
【０１１７】
具体的には本提案においては図１４のバイト位置で０バイト目に記録される“規格書のタイプ情報とバージョン番号情報”で規格書タイプを“００００ｂ”と設定してＤＶＤ−ＲＯＭ規格書と指定する。
【０１１８】
規格書タイプをこのように指定したとしても、図１４に示したページ記述子ＰＧＤの情報を使うことで本提案の情報記憶媒体か本物のＤＶＤ−ＲＯＭディスクかの識別は可能である。
【０１１９】
さらに、図１４のバイト位置で２バイト目に記録される媒体構造の中でエンボスピットと追記領域や書き替え領域の有無を指定することになっているが、本提案では“ｂ２，ｂ１，ｂ０”の値を“００１”としてあたかもエンボスピットのみの構造であるようにＤＶＤプレーヤ（再生装置）に対して明示する。
【０１２０】
前記媒体構造の情報において、    
ｂ２＝０ｂの場合には対応する情報記憶媒体内に書き替え可能なユーザ領域を持たないことを示し、    
ｂ２＝１ｂの場合には対応する情報記憶媒体内に書き替え可能なユーザ領域を持つことを示す。
【０１２１】
また、    
ｂ１＝０ｂの場合には対応する情報記憶媒体内に追記可能なユーザ領域を持たないことを示し、
ｂ１＝１ｂの場合には対応する情報記憶媒体内に追記可能なユーザ領域を持つことを示す。
【０１２２】
さらに、    
ｂ０＝０ｂの場合には対応する情報記憶媒体内にエンボスピットが形成されているユーザ領域を持たず、    
ｂ０＝１ｂの場合には対応する情報記憶媒体内にエンボスピットが形成されているユーザ領域を持つ    
ことを意味する。
【０１２３】
上述したＭＯＤ方法に使用される情報記憶媒体１０は、図１７または図１８に示すように小売店５内に設置された情報（複製）記録装置５５により暗号化されたディスク鍵群１６と暗号化されたタイトル鍵１３、暗号化された映像コンテンツ１４が記録され、ＥＳＴ方法に使用される情報記憶媒体はエンドユーザ６が所有している記録装置により暗号化されたディスク鍵群１６と暗号化されたタイトル鍵１３、暗号化された映像コンテンツ１４が記録される。
【０１２４】
いずれにしても、本提案においては、ＣＳＳ関連情報と映像コンテンツ１４等の特定情報に関連する情報がネットワーク経由で記録装置に対して配信される。
【０１２５】
このようにネットワーク経由で配信される途中で映像コンテンツ１４等の特定情報が不正コピーされたり、ＣＳＳに関連した各種鍵情報が盗まれることで情報記憶媒体１０内に記録された暗号化された特定情報４２（暗号化された映像コンテンツ１４）の暗号解読が不正になされて不正コピーされる危険性が高くなる。
【０１２６】
この問題を解消するために本提案では映像コンテンツ１４等の特定情報とＣＳＳに関連した各種鍵情報いずれに対しても暗号化後の情報をネットワーク経由で配信させることに本提案の大きな特徴がある。
【０１２７】
それにより仮にネットワーク経由で情報が漏れたとしても、漏れた情報は非暗号化状態の（プレーンな）情報では無く必ず暗号化された情報なために再利用が不可能であり不正コピーが防止されると言う効果が生まれる。
【０１２８】
上記の本提案における特徴に関する詳細な説明を図１７を用いて行う。
【０１２９】
前述したようにＭＯＤ方法に使用される情報記憶媒体１０は小売店５内に設置された情報（複製）記録装置５５内で記録波長λｗ（≠６５０ｎｍ）の光で記録される。
【０１３０】
この情報（複製）記録装置５５内には通信鍵記憶部５２とマスタ鍵記憶部２７が存在する。
【０１３１】
図１７では両者が異なるように記述されているが、それに限らず通信鍵記憶部５２とマスタ鍵記憶部２７が１個のメモリ内で兼用されていても良い。
【０１３２】
小売店５は、映像コンテンツ１１等の特定情報の制作会社（コンテンツプロバイダ）５４に対して通信鍵代金４９を支払って、通信鍵４４を購入する。
【０１３３】
この特定情報の制作会社（コンテンツプロバイダ）５４はこの通信鍵を利用して映像コンテンツ１１等の特定情報を暗号化し、通信鍵で暗号化された特定情報４５をネットワーク経由で小売店５に対して配信する。
【０１３４】
また小売店５ではこの特定情報を暗号化して記録した情報記憶媒体１０をエンドユーザ６に売ると、その売り上げに応じた複製許可代金４７を特定情報の制作会社（コンテンツプロバイダ）５４に対して支払う。
【０１３５】
特定情報の制作会社（コンテンツプロバイダ）５４から配信された通信鍵で暗号化された特定情報４５は既に配信された通信鍵４４の情報を利用し、特定情報に対する複合器５１内で一度は暗号解読される。
【０１３６】
その直後にタイトル鍵１２で暗号化し、タイトル鍵で暗号化された特定情報４２の形で情報記憶媒体１０内に記録される。
【０１３７】
図１６に示した現行の例では暗号鍵発行会社（ＣＳＳエンティティー）２とディスク複製会社（レプリケータ）４との間で、ディスク鍵１５が転送されるが、この経路は充分にセキュリティ対策が施された環境下で転送される。それに比べ、図１７に示したシステム上でのネットワーク経路は、セキュリティ対策が甘く、この経路途中でディスク鍵１５が外部に漏れる危険性がある。
【０１３８】
それに対して、図１７に示した実施例では、プレーンな（非暗号化）状態のディスク鍵１５の代わりに、暗号化されたタイトル鍵１３がネットワークを経由して小売店５へ転送される。
【０１３９】
それを可能にするために、本提案では暗号鍵発行会社（ＣＳＳエンティティー）２と小売店５との間にエージェント会社８を配置している。
【０１４０】
このエージェント会社８ではタイトル鍵生成部２１によりタイトル毎のタイトル鍵１２を発行する。
【０１４１】
次に、充分にセキュリティ対策が施された環境下で暗号鍵発行会社（ＣＳＳエンティティー）２から転送されたディスク鍵１５を用いて暗号化されたタイトル鍵１３をタイトル鍵の暗号器２３内で発生させて小売店５へ向けてネットワーク配信する。
【０１４２】
小売店５内の情報（複製）記録装置５５内ではこのネットワーク配信された暗号化されたタイトル鍵１３を情報記憶媒体１０内にそのまま記録する。
【０１４３】
小売店５では情報記憶媒体１０内に記録したタイトル鍵１３の記録回数に応じてエージェント会社８に対して鍵代金とＤＶＤライセンス料３３を支払う。
【０１４４】
エージェント会社８ではこれにより集まったＤＶＤライセンス料３３をまとめてＤＶＤライセンス会社７に支払う。
【０１４５】
またＤＶＤライセンス会社７は、ブランク状態２０の情報記憶媒体１０を製造する情報記憶媒体の製造会社９に対してＤＶＤライセンス料３２を徴収する代わりに情報記憶媒体の製造許諾権３１を与える。
【０１４６】
図１７に示したエージェント会社８は、図１６に示したディスク複製会社（レプリケータ）４と同様に暗号鍵発行会社（ＣＳＳエンティティ）２からディスク鍵１５と共に暗号化されたディスク鍵群１６を受け取るが、エージェント会社８は小売店に対して暗号化されたディスク鍵群１６をそのままネットワーク配信する。
【０１４７】
このように小売店５に対してネットワーク配信される情報は“通信鍵で暗号化された特定情報４５”と“暗号化されたディスク鍵群１６”、“暗号化されたタイトル鍵”と言う全て暗号化された情報なため、ネットワーク経路途中で情報が漏れたとしても不正コピーを防止することが可能となる。
【０１４８】
図１７では、ＭＯＤ方法に使用される情報記憶媒体１０に対する説明を行っているが、本発明はそれに限らずＥＳＴ方法に使用される情報記憶媒体１０に対しても適応が可能である。
【０１４９】
ＥＳＴの場合にはネットワーク経由での配信先がエンドユーザ６となるが、この場合でもエンドユーザ６に対しては“通信鍵で暗号化された特定情報４５”と“暗号化されたディスク鍵群１６”、“暗号化されたタイトル鍵”と言う全て暗号化された情報が配信されるため、不正コピーを防止できる。
【０１５０】
さらにＭＯＤとＥＳＴのいずれの場合でもネットワーク配信されるＣＳＳに関連した情報が“暗号化されたディスク鍵群１６”と“暗号化されたタイトル鍵”と言う情報記憶媒体１０内に記録される情報と一致しているため、情報（複製）記録装置５５内の記録前段階処理が大幅に簡素化されて情報（複製）記録装置５５の低価格化と処理の信頼性向上が実現できる。
【０１５１】
また情報（複製）記録装置５５内のディスク鍵の複合器２８内ではマスタ鍵記憶部２７から転送されるマスタ鍵４０を利用し、エージェント会社８からネットワーク配信された暗号化されたディスク鍵群１６の暗号解読を行う。
【０１５２】
ここで得られたディスク鍵１５を利用してタイトル鍵の複合器２９内では同じくエージェント会社８からネットワーク配信された暗号化されたタイトル鍵１３の暗号解読を行ってタイトル鍵１２を生成し、このタイトル鍵１２を用いて特定情報に対する暗号器４１内で特定情報４３の暗号化を行って情報記憶媒体１０へ記録する。
【０１５３】
本発明の他の実施例（応用例）を図１８に示す。
【０１５４】
図１８においても情報（複製）記録装置６０に対してネットワーク配信されるＣＳＳ関連情報は“暗号化されたディスク鍵群１６”と“暗号化されたタイトル鍵”と言う暗号化された情報記憶媒体１０に記録される情報であることは、図１７に示した実施例と一致している。
【０１５５】
しかし図１８の応用例では映像コンテンツ１１をネットワーク配信される代わりに通常のＤＶＤ−Ｖｉｄｅｏディスク３を配送３６していることが異なる。
【０１５６】
図１８に示した実施例では情報（複製）記録装置６０内部でこのＤＶＤ−Ｖｉｄｅｏディスク３内に記録されている暗号化された映像コンテンツ１４の暗号解読（復合化）を行うと共にこの暗号解読後の映像コンテンツ１４を再度暗号化して本発明の情報記憶媒体１０に記録する。
【０１５７】
次に、記録波長と青色系色素と赤色系色素との組み合わせについて、さらに詳細に説明する。
【０１５８】
記録膜の有機色素材料としては、赤色レーザ（波長６５０ｎｍ）で記録及び再生を行う場合は、赤色Ｌｏｗ−ｔｏ−Ｈｉｇｈ（赤Ｌ−Ｈ）型色素を使う。赤色Ｌｏｗ−ｔｏ−Ｈｉｇｈ型色素としてはポリメチンシアニン系色素、ポリメチンヘミシアニン系色素、有機金属錯体色素などが用いられる。極大吸収波長は６８０〜７５０ｎｍ程度に調整される。ポリメチンシアニン系色素の例としてはカチオン部がペンタメチンシアニン、アニオン部がアゾＣｏ錯体としたものが有効である。ポリメチンヘミシアニン系色素の例としては、カチオン部がペンタメチンヘミシアニン、アニオン部をアゾＣｏ錯体としたもの等が有効である。
【０１５９】
青色レーザ（波長４０５ｎｍ）で記録を行い、赤色レーザ（波長６５０ｎｍ）で再生を行う場合は、青色Ｌｏｗ−ｔｏ−Ｈｉｇｈ（青Ｌ−Ｈ）型色素と赤色Ｌｏｗ−ｔｏ−Ｈｉｇｈ型色素を所定の割合で混合した色素を使う。または、青色Ｌｏｗ−ｔｏ−Ｈｉｇｈ型色素と赤色Ｈｉｇｈ−ｔｏ−Ｌｏｗ（赤Ｈ−Ｌ）型色素を所定の割合で混合した色素を使う。
【０１６０】
青色Ｌｏｗ−ｔｏ−Ｈｉｇｈ型色素としては、モノメチンシアニン系色素、ヘミシアニン系色素、スチリル系色素、有機金属錯体色素などが用いられる。極大吸収波長は３８０〜４８０ｎｍ程度に調整される。
【０１６１】
赤色Ｌｏｗ−ｔｏ−Ｈｉｇｈ型色素としては、ポリメチンシアニン系色素、ポリメチンヘミシアニン系色素、有機金属錯体色素などが用いられる。極大吸収波長は６８０〜７５０ｎｍ程度に調整される。ポリメチンシアニン系色素の例としては、カチオン部をペンタメチンシアニン、アニオン部をアゾＣｏ錯体としたものが有効である。ポリメチンシアニン系色素の例としては、カチオン部をペンタメチンヘミシアニン、アニオン部をアゾＣｏ錯体としたものが有効である。
【０１６２】
赤色Ｈｉｇｈ−ｔｏ−Ｌｏｗ型色素としては、ポリメチンシアニン系色素、ポリメチンヘミシアニン系色素、有機金属錯体色素、キナゾリン系色素、フタロシアニン系色素、ポルフィリン系色素などが用いられる。極大吸収波長は、５５０〜６１０ｎｍ程度に調整される。赤色Ｈｉｇｈ−ｔｏ−Ｌｏｗ型には、屈折率変化タイプと吸収率変化タイプの色素があり、両方とも使うことができる。
【０１６３】
なお、基板の溝形状としては、赤色Ｌｏｗ−ｔｏ−Ｈｉｇｈ型色素もしくは赤色Ｈｉｇｈ−ｔｏ−Ｌｏｗ型色素の吸収変化タイプを使うものでは、溝深さ１０ｎｍ〜４０ｎｍが良好であり、溝幅は１５０ｎｍ〜５００ｎｍが良い。より好ましくは溝深さ２０〜３０ｎｍ、溝幅３００〜４５０ｎｍが好適である。
【０１６４】
一方、赤色Ｈｉｇｈ−ｔｏ−Ｌｏｗ型色素の屈折率変化タイプを使うものでは、溝深さ２００ｎｍ〜３５０ｎｍ、溝幅２５０〜３７０ｎｍが良い。
【０１６５】
すなわち、図１９を参照して以下に説明するが、グルーブ幅５４３、４９８、４５４、３５４、１９３、１７５、１４８ｎｍのＤＶＤ−Ｒスタンパー（グルーブ深さ３０ｎｍ）を作製し、０．６ｍｍ厚みポリカーボネート基板を射出成形法にて複製し、青色素としてヘミシアニンカチオン／Ｃｏアゾ錯体アニオン色素を使い、赤色素としてペンタメチンシアニン／Ｃｏアゾ錯体アニオン色素を使い、重量比３：７の割合でフッ素アルコール溶媒（ＴＦＰ）に混合溶解した溶液を前記ポリカーボネートディスク基板にスピン塗布し、純Ａｇ膜をスパッタリング成膜（膜厚１００ｎｍ）し、０．６ｍｍ厚みダミー基板を接着した試験用ディスク（ＤＶＤ−Ｒタイプディスク）を作製し、Ｐｕｓｈ−Ｐｕｌｌ信号（ＰＰａ）から溝（グルーブ）幅の要件を求めたところ、４７０ｎｍ以下が好ましいことが確認された。
【０１６６】
また、図２０を参照して以下に説明するが、グルーブ深さ１６、２３、３０、３６、４５、７０、１０２、１４９、１７８ｎｍのＤＶＤ−Ｒスタンパー（グルーブ幅３４０ｎｍ）を作製し、０．６ｍｍ厚みポリカーボネート基板を射出成形法にて複製し、青色素としてヘミシアニンカチオン／Ｃｏアゾ錯体アニオン色素を使い、赤色素としてペンタメチンシアニン／Ｃｏアゾ錯体アニオン色素を使い、重量比３：７の割合でフッ素アルコール溶媒（ＴＦＰ）に混合溶解した溶液を前記ポリカーボネートディスク基板にスピン塗布し、純Ａｇ膜をスパッタリング成膜（膜厚１００ｎｍ）し、０．６ｍｍ厚みダミー基板を接着した試験用ディスク（ＤＶＤ−Ｒタイプディスク）を作製して、Ｐｕｓｈ−Ｐｕｌｌ信号（ＰＰａ）から溝（グルーブ）深さの要件を求めたところ、３６ｎｍ以下が好ましいことが確認された。
【０１６７】
しかしながら、図２１に示すように、ジッタ（エラーレート）から、溝（グルーブ）幅の要件を求めたところ、１７０ｎｍ以上必要であることが確認された。
【０１６８】
また、図２２に示すように、信号変調度から、溝（グルーブ）深さの要件を求めたところ、２０ｎｍ以上必要であることが確認された。
【０１６９】
なお、記録系としては、波長４０５ｎｍのレーザ光をＮＡ（開口数）が０．６５の対物レンズを用いたＨＤ  ＤＶＤ−Ｒ用光学系を用い、再生系として、波長６６０ｎｍのレーザ光をＮＡ（開口数）が０．６のＤＶＤ記録光学系により、Ｐｕｓｈ−Ｐｕｌｌ信号（ＰＰａ）を測定した。また、反射率、ジッタ、信号変調度については、波長が６５０ｎｍ、ＮＡ＝０．６のＤＶＤ再生光学系により計測した。
【０１７０】
図２３は、記録後の各ディスクを市販の複数のＤＶＤドライブ（サンプルＡ〜Ｆ）により、反射率、ジッタ、信号変調度について再生テストした結果を示す。いうまでもなく、再生できなかったものがＮＧ表示である。なお、ドライブ（サンプル）Ｆについては、ソフトウエア（ファームウエア）をアップデートすることにより、ＮＧからＯＫとなるケースが確認された。
【０１７１】
図２３から明らかなように、信号変調度については、０．４５よりも小さいディスクでは、再生ＮＧとなるドライブが２種以上となった。ドライブＦは、信号変調度０．４５のディスクに対して再生ＮＧであったが、ファームウエアを最新のものに変更することで再生ＯＫとなった。
【０１７２】
反射率については、４５％よりも小さいディスクでは、再生ＮＧとなるドライブが１種以上となった。４４％ディスクでは、再生できたりできなかったりするドライブも含めると２種がＮＧとなった。
【０１７３】
記録後プッシュプル（ＰＰ）信号（ＰＰａ）については、０．１７よりも大きいディスクでは、再生ＮＧとなるドライブが１種以上となった。０．１９のディスクでは再生できたり出来なかったりするドライブも含めると２種がＮＧとなった。
【０１７４】
したがって、図２３から、再生ＮＧになる場合もあるが再生ＯＫとなることもある場合をＮＧとし、全てのドライブで再生ＯＫとなることを合格と判定した場合では、    
信号変調度は  ０．４５以上    
反射率は  ４５％以上    
記録後ＰＰ（ＰＰａ）が  ０．１７以下    
であれば、本提案の光ディスクから信号が再生可能であることが認められる。
【０１７５】
上記を満足する溝形状としては、上述した通り、グルーブ幅は４７０ｎｍ以下であり、グルーブ深さは２０ｎｍ以上３６ｎｍ以下である。また、ジッタを８％以下とするためには、グルーブ幅を１７０ｎｍ以上とする必要がある。
【０１７６】
上記を満足した本提案のＤＶＤ−Ｒディスクでは、２００種のＤＶＤドライブにて再生可能率は、９４．３％であり、ほとんどのドライブにて再生可能であった。対して、従来のＤＶＤ−Ｒディスクでは再生可能率は４１．８％であり、半分以上のドライブで再生不可能であった。
【０１７７】
以上説明したように、この発明の情報記録媒体によれば、記録マークに対する記録光と再生光とで使用波長を変え、さらに記録光に対してトラックずれ検出信号とランドプリピット検出信号が得られると同時に再生光に対してはプリグルーブやプリピットからの影響がほとんど出ないようなプリグルーブ形状と寸法およびランドプリピット形状と寸法に設定することで、より一層の記録処理と再生処理の安定化を図れる。
【０１７８】
また、任意台数のＤＶＤドライブにおいて、実質的にほぼ互換機といえる程度の再生可能率が確保でき、安定な再生が期待できる。
【０１７９】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【０１８０】
【図１】この発明の一実施形態が適用される記録媒体の記録領域の構造の一例を説明する概略図。
【図２】この発明の一実施形態が適用される記録媒体の記録領域の断面構造の一例を説明する概略図。
【図３】図１及び図２に示した記録媒体のプリグルーブ寸法及びランドプリピット寸法と記録光の波長との関係について説明する概略図。
【図４】図１〜図３に示した本提案の光ディスクの記録層に使用される有機色素記録材料の一例の光吸収スペクトルを説明するグラフ。
【図５】本提案の光ディスクの記録層に利用可能な青色系色素の構造式の一例を示す概略図。
【図６】本提案の光ディスクの記録層に利用可能な赤色系色素の構造式の一例を示す概略図。
【図７】本提案の光ディスクの記録層に利用可能な赤色系色素の構造式の一例を示す概略図。
【図８】本提案の光ディスクの記録層に利用可能な赤色系色素の構造式の一例を示す概略図。
【図９】図５ないし図８に示した吸収特性を呈する赤色系色素の構造式の一例を示す概略図。
【図１０】本提案の光ディスクの記録層に利用可能な赤色系色素であって、Ｈ→Ｌ型の有機色素記録材料の光吸収スペクトル特性の一例を示すグラフ。
【図１１】図１０に示した吸収特性を呈する赤色系色素の構造式の一例を示す概略図。
【図１２】図１および図２に示した追記形情報記録媒体の記録領域の構造を説明する概略図。
【図１３】図１および図２に示した追記形情報記録媒体の記録領域のデータ構造を説明する概略図。
【図１４】図１３に示したデータ構造の物理フォーマット情報とＲ物理フォーマット情報を説明する概略図。
【図１５】図１４に示したデータ構造のデータ領域ＤＴＡ内の物理フォーマット情報とＲ物理フォーマット情報を説明する概略図。
【図１６】現行の映像情報配信システムを説明する概略図。
【図１７】本発明の情報記録媒体を用いることで達成される映像情報配信システムの一例を説明する概略図。
【図１８】本発明の情報記録媒体を用いることで達成される映像情報配信システムの一例を説明する概略図。
【図１９】本発明の情報記録媒体において、溝（グルーブ）幅と再生信号のプッシュプル（Ｐｕｓｈ−Ｐｕｌｌ）信号（ＰＰａ）との関係を説明するグラフ。
【図２０】本発明の情報記録媒体において、溝（グルーブ）の深さと再生信号のプッシュプル（Ｐｕｓｈ−Ｐｕｌｌ）信号（ＰＰａ）との関係を説明するグラフ。
【図２１】本発明の情報記録媒体において、ジッタ（エラーレート）と溝幅との関係を説明するグラフ。
【図２２】本発明の情報記録媒体において、信号変調度と溝の深さとの関係を説明するグラフ。
【図２３】本発明の情報記録媒体を、入手可能な複数のディスクドライブ装置で再生した結果を示す概略図。
【符号の説明】
【０１８１】
１０１…透明基板、１０２…光反射層、１０３…記録層、１０５…記録マーク、１０７…プリグルーブ、１０８…ランドプリピット、１０９…ランド。
【図１】
2009026407.tif 000003
【図２】
2009026407.tif 000004
【図３】
2009026407.tif 000005
【図４】
2009026407.tif 000006
【図５】
2009026407.tif 000007
【図６】
2009026407.tif 000008
【図７】
2009026407.tif 000009
【図８】
2009026407.tif 000010
【図９】
2009026407.tif 000011
【図１０】
2009026407.tif 000012
【図１１】
2009026407.tif 000013
【図１２】
2009026407.tif 000014
【図１３】
2009026407.tif 000015
【図１４】
2009026407.tif 000016
【図１５】
2009026407.tif 000017
【図１６】
2009026407.tif 000018
【図１７】
2009026407.tif 000019
【図１８】
2009026407.tif 000020
【図１９】
2009026407.tif 000021
【図２０】
2009026407.tif 000022
【図２１】
2009026407.tif 000023
【図２２】
2009026407.tif 000024
【図２３】
2009026407.tif 000025